(57)【要約】【課題】  障害発生時のサービスを継続可能とし、待機系側への切替え時間を短縮することが可能なメディアサービス装置を提供する。【解決手段】  メディアサービス装置１はＬＡＮ＃０系１００側に障害が発生したら、運用系（ＡＣＴ）をＬＡＮ＃１系１０１に切替えて、ＬＡＮカード（＃０）１１のＬＡＮポート（＃１）１１１からＩＰアドレスＡの設定を削除し、ＬＡＮカード（＃０）１１のＬＡＮポート（＃２）１１２からＩＰアドレスＢの設定を削除し、ＬＡＮカード（＃１）１２のＬＡＮポート（＃３）１２１にＩＰアドレスＡの設定を行い、ＬＡＮカード（＃１）１２のＬＡＮポート（＃４）１２２にＩＰアドレスＢの設定を行う。【選択図】      図１
2008177710.tif 000002
【特許請求の範囲】
【請求項１】
メディアサービスを提供するメディアサービス装置と、遠隔監視・保守装置と、呼制御サーバ群とを接続するネットワークにおいて運用系／待機系の構成をとる冗長構成のメディアサービスシステムであって、
前記メディアサービス装置において、前記冗長構成の運用系側にのみ一意のＩＰ（Ｉｎｔｅｒｎｅｔ  Ｐｒｏｔｏｃｏｌ）アドレスを設定することを特徴とするメディアサービスシステム。
【請求項２】
前記メディアサービス装置は、上位の呼制御プロトコルに前記ネットワーク上のノードのプロトコルレベル状態監視パケットの送受信機能を含むことを特徴とする請求項１記載のメディアサービスシステム。
【請求項３】
前記メディアサービス装置は、各々物理的に分離された保守系ネットワーク用ポートと制御系ネットワーク用ポートとを含むことを特徴とする請求項１または請求項２記載のメディアサービスシステム。
【請求項４】
前記メディアサービス装置は、各々前記保守系ネットワーク用ポート及び前記制御系ネットワーク用ポートを含む第１及び第２のネットワークカードと、前記第１及び第２のネットワークカードと前記ネットワークの前記運用系／待機系との接続を行うレイヤ２スイッチとを含むことを特徴とする請求項３記載のメディアサービスシステム。
【請求項５】
メディアサービスを提供するメディアサービス装置と、遠隔監視・保守装置と、呼制御サーバ群とを接続するネットワークにおいて運用系／待機系の構成をとる冗長構成のシステムを構成するメディアサービス装置であって、
前記冗長構成の運用系側にのみ一意のＩＰ（Ｉｎｔｅｒｎｅｔ  Ｐｒｏｔｏｃｏｌ）アドレスを設定することを特徴とするメディアサービス装置。
【請求項６】
上位の呼制御プロトコルに前記ネットワーク上のノードのプロトコルレベル状態監視パケットの送受信機能を含むことを特徴とする請求項５記載のメディアサービス装置。
【請求項７】
各々物理的に分離された保守系ネットワーク用ポートと制御系ネットワーク用ポートとを含むことを特徴とする請求項５または請求項６記載のメディアサービス装置。
【請求項８】
各々前記保守系ネットワーク用ポート及び前記制御系ネットワーク用ポートを含む第１及び第２のネットワークカードと、前記第１及び第２のネットワークカードと前記ネットワークの前記運用系／待機系との接続を行うレイヤ２スイッチとを含むことを特徴とする請求項７記載のメディアサービス装置。
【請求項９】
メディアサービスを提供するメディアサービス装置と、遠隔監視・保守装置と、呼制御サーバ群とを接続するネットワークにおいて運用系／待機系の構成をとる冗長構成のメディアサービスシステムに用いるＬＡＮ冗長化方法であって、
前記メディアサービス装置において、前記冗長構成の運用系側にのみ一意のＩＰ（Ｉｎｔｅｒｎｅｔ  Ｐｒｏｔｏｃｏｌ）アドレスを設定することを特徴とするＬＡＮ冗長化方法。
【請求項１０】
前記メディアサービス装置に、前記ネットワーク上のノードのプロトコルレベル状態監視パケットの送受信機能を含む上位の呼制御プロトコルを実装したことを特徴とする請求項９記載のＬＡＮ冗長化方法。
【請求項１１】
前記メディアサービス装置に、各々物理的に分離された保守系ネットワーク用ポートと制御系ネットワーク用ポートとを実装したことを特徴とする請求項９または請求項１０記載のＬＡＮ冗長化方法。
【請求項１２】
前記メディアサービス装置に、各々前記保守系ネットワーク用ポート及び前記制御系ネットワーク用ポートを含む第１及び第２のネットワークカードと、前記第１及び第２のネットワークカードと前記ネットワークの前記運用系／待機系との接続を行うレイヤ２スイッチとを実装したことを特徴とする請求項１１記載のＬＡＮ冗長化方法。
【発明の詳細な説明】
【技術分野】
【０００１】
本発明はメディアサービスシステム、メディアサービス装置及びそれらに用いるＬＡＮ冗長化方法に関し、特にメディアサービスシステムにおけるＬＡＮ（Ｌｏｃａｌ  Ａｒｅａ  Ｎｅｔｗｏｒｋ）冗長構成に関する。
【背景技術】
【０００２】
近年、通信技術の進歩やネットワークインフラの整備によって、携帯電話の様々なリアルタイム性が要求されるサービスが増加してきており、それに従って、サービスの無瞬断の要求が強くなり、高信頼性、高可用性のメディアサービスシステムの構築が必要になってきている。
【０００３】
従来のメディアサービスシステムのＬＡＮ冗長構成を図６に示す。図６において、従来のメディアサービスシステムは、各種メディアサービス機能を提供するメディアサービス装置８と、通信端末（図示せず）までの呼を制御する呼制御サーバ群７と、システム上の各ネットワーク機器を遠隔で監視・保守を行う監視・保守装置６と、これらの装置を接続するＩＰ網２００を構成する各種ネットワーク中継機器｛ルータ４，５やスイッチ［レイヤ２スイッチ（Ｌ２ＳＷ）２，３］等｝とによって構成されている。
【０００４】
メディアサービス装置８は、ＬＡＮカード（＃０）８１のＬＡＮポート（＃１）８２とＬＡＮカード（＃１）８３のＬＡＮポート（＃２）８４とによって外部のネットワークに接続される。ＬＡＮカード（＃０）８１と接続するネットワークをＬＡＮ＃０系１００、ＬＡＮカード（＃１）８３と接続するネットワークをＬＡＮ＃１系１０１と呼び、それぞれ運用系（ＡＣＴ）／待機系（ＳＢＹ）の構成をとる（例えば、特許文献１，２参照）。
【０００５】
従来のメディアサービスシステムのＬＡＮ冗長構成では、メディアサービス装置８の２つのＬＡＮポート［ＬＡＮポート（＃１）８２及びＬＡＮポート（＃２）８４］それぞれに別々のＩＰアドレスが割り振られ、障害発生時の系切替えで別のＩＰアドレスになる。つまり、障害発生した系でサービス中の呼は切断され、最初から呼設立がまた始まる。そして、監視対象の障害はレイヤ２以下の回線障害等である。また、保守系ネットワークと制御系ネットワークとは同じＬＡＮポートを使用している。
【０００６】
【特許文献１】特開２００６−１７４０１２号公報
【特許文献２】特開２０００−１６５４０９号公報
【発明の開示】
【発明が解決しようとする課題】
【０００７】
しかしながら、上述した従来のメディアサービスシステムのＬＡＮ冗長構成では、障害発生時、呼再設立処理から始まり、サービス中断時間が長くなるという課題がある。
【０００８】
また、従来のメディアサービスシステムのＬＡＮ冗長構成では、監視対象の障害がレイヤ２以下の回線障害のみであり、保守系ネットワーク用ＬＡＮポートと制御系ネットワーク用ＬＡＮポートとが同じである。
【０００９】
各種メディアサービス機能を提供するシステムにおいて、通信端末とのメディアデータの通信に先立って、呼制御用のパスを設立する必要がある。この呼制御用のパス設立時には、メディアサービス装置のＩＰ（Ｉｎｔｅｒｎｅｔ  Ｐｒｏｔｏｃｏｌ）アドレスを指定して設立している。
【００１０】
この従来のメディアサービスシステムのＬＡＮ冗長構成を図６に示す。従来のメディアサービスシステムでは、メディアサービス装置のそれぞれのＬＡＮポートに別々のＩＰアドレスが割り振られ、単一ネットワーク障害下においてもサービスの継続を可能とし、ネットワーク負荷を軽減させるために、トラフィックの負荷分散を可能としている。
【００１１】
しかしながら、運用系（ＡＣＴ）側ネットワークに障害が発生すると、そのネットワークでサービス中の呼が全て切断されて、それまで待機系（ＳＢＹ）側だったネットワークに切替えて、別のＩＰアドレスで呼制御用のパスを設立しなおす必要があるという問題がある。
【００１２】
また、従来のメディアサービスシステムのＬＡＮ冗長構成では、監視対象のネットワーク障害が回線障害等のレイヤ２レベル以下の障害である。ネットワーク回線は正常だが、呼制御プロトコル処理で障害等が発生するというレイヤ３レベル以上のプロトコル障害は検出していない。
【００１３】
さらに、従来のメディアサービスシステムのＬＡＮ冗長構成では、上記のように、保守系ネットワークと制御系ネットワークとが同じＬＡＮポートを使用していたため、障害が発生すると、保守系ネットワーク及び制御系ネットワークの両方がともに障害になるという問題がある。
【００１４】
そこで、本発１明の目的は上記の問題点を解消し、障害発生時のサービスを継続することができ、待機系側への切替え時間を短縮することができるメディアサービスシステム、メディアサービス装置及びそれらに用いるＬＡＮ冗長化方法を提供することにある。
【課題を解決するための手段】
【００１５】
本発明によるメディアサービスシステムは、メディアサービスを提供するメディアサービス装置と、遠隔監視・保守装置と、呼制御サーバ群とを接続するネットワークにおいて運用系／待機系の構成をとる冗長構成のメディアサービスシステムであって、
前記メディアサービス装置において、前記冗長構成の運用系側にのみ一意のＩＰ（Ｉｎｔｅｒｎｅｔ  Ｐｒｏｔｏｃｏｌ）アドレスを設定している。
【００１６】
本発明によるメディアサービス装置は、メディアサービスを提供するメディアサービス装置と、遠隔監視・保守装置と、呼制御サーバ群とを接続するネットワークにおいて運用系／待機系の構成をとる冗長構成のシステムを構成するメディアサービス装置であって、
前記冗長構成の運用系側にのみ一意のＩＰ（Ｉｎｔｅｒｎｅｔ  Ｐｒｏｔｏｃｏｌ）アドレスを設定している。
【００１７】
本発明によるＬＡＮ冗長化方法は、メディアサービスを提供するメディアサービス装置と、遠隔監視・保守装置と、呼制御サーバ群とを接続するネットワークにおいて運用系／待機系の構成をとる冗長構成のメディアサービスシステムに用いるＬＡＮ冗長化方法であって、
前記メディアサービス装置において、前記冗長構成の運用系側にのみ一意のＩＰ（Ｉｎｔｅｒｎｅｔ  Ｐｒｏｔｏｃｏｌ）アドレスを設定している。
【００１８】
すなわち、本発明のメディアサービスシステムは、様々なメディアサービスを提供するメディアサービス装置を実装するシステムにおいて、メディアサービス装置と、各種遠隔監視・保守装置と、呼制御サーバ群とを接続するネットワークの冗長構成にて、冗長ＩＰ（Ｉｎｔｅｒｎｅｔ  Ｐｒｏｔｏｃｏｌ）アドレス方式の採用と上位レイヤの呼制御プロトコルとの連携によって、単一ネットワークでの障害発生時のサービス継続の実現、ネットワーク切替え時間の短縮及び障害監視対象の拡大を実現可能としている。
【００１９】
また、本発明のメディアサービスシステムは、保守系ネットワークと制御系ネットワークとを分離することで、障害によるサービスへの影響を最小限に抑えることを特徴としている。
【００２０】
これによって、本発明のメディアサービスシステムでは、メディアサービスシステムのＬＡＮ（Ｌｏｃａｌ  Ａｒｅａ  Ｎｅｔｗｏｒｋ）冗長構成において、冗長ＩＰアドレス方式の採用、呼制御プロトコルに呼制御プロトコルレベルの状態監視用パケット送受信機能の追加、保守系ネットワーク用ＬＡＮポートと制御系ネットワーク用ＬＡＮポートとの分離を実施することで、高可用性、高信頼性のメディアサービスシステムが実現可能となる。
【００２１】
より具体的に説明すると、本発明のメディアサービスシステムでは、各種メディアサービス機能を提供するメディアサービス装置と、通信端末までの呼を制御する呼制御サーバ群と、システム上の各ネットワーク機器を遠隔で監視・保守を行う監視・保守装置と、これらの装置を接続するＩＰ網を構成する各種ネットワーク中継機器（スイッチ、ルータ）とによってＬＡＮ冗長構成としている。
【００２２】
メディアサービス装置は、ＩＳＯ（国際標準化機構）によって制定されたＯＳＩ参照モデル（Ｏｐｅｎ  Ｓｙｓｔｅｍｓ  Ｉｎｔｅｒｃｏｎｎｅｃｔｉｏｎ  ｒｅｆｅｒｅｎｃｅ  ｍｏｄｅｌ）のレイヤ２スイッチを内部で実装し、このレイヤ２スイッチは、ＬＡＮカード＃０のＬＡＮポート＃１，＃２、ＬＡＮカード＃１のＬＡＮポート＃３，＃４、外部の２つのＬＡＮネットワークに接続される。ＬＡＮカード＃０と接続するネットワークをＬＡＮ＃０系、ＬＡＮカード＃１と接続するネットワークをＬＡＮ＃１系と呼び、それぞれ運用系（ＡＣＴ）／待機系（ＳＢＹ）の構成をとっている。
【００２３】
本発明のＬＡＮ冗長構成は、運用系（ＡＣＴ）／待機系（ＳＢＹ）の方式であるが、運用系（ＡＣＴ）側のＬＡＮポートにのみ一意のＩＰアドレス（冗長ＩＰアドレス）が割り振られる。初期状態はＬＡＮ＃０系側が運用系（ＡＣＴ）／ＬＡＮ＃１系側が待機系（ＳＢＹ）の状態とし、ＬＡＮカード＃０のＬＡＮポート＃１にＩＰアドレスＡ、ＬＡＮポート＃２にＩＰアドレスＢをそれぞれ設定し、ＬＡＮカード＃１のＬＡＮポート＃３及びＬＡＮポート＃４にはＩＰアドレスを設定しない。
【００２４】
本発明のＬＡＮ冗長構成では、この状態でＬＡＮ＃０系側に障害が発生したら、運用系（ＡＣＴ）をＬＡＮ＃１系に切替えて、ＬＡＮカード＃０のＬＡＮポート＃１からＩＰアドレスＡの設定を削除し、ＬＡＮカード＃０のＬＡＮポート＃２からＩＰアドレスＢの設定を削除し、ＬＡＮカード＃１のＬＡＮポート＃３にＩＰアドレスＡの設定を行い、ＬＡＮカード＃１のＬＡＮポート＃４にＩＰアドレスＢの設定を行っている。
【００２５】
これによって、今までＬＡＮ＃０系で通信した呼処理は自動的にＬＡＮ＃１系経由で処理されることになる。また、本発明のＬＡＮ冗長構成では、メディアサービス装置と呼制御サーバ群との間の呼制御プロトコルレベル状態監視パケットの送受信によって、回線障害等のレイヤ２以下の障害だけでなく、レイヤ３以上のプロトコル障害も検出可能としている。
【００２６】
さらに、監視・保守装置との通信を実現する保守系ネットワーク用のＬＡＮポートと、呼制御サーバ群との通信を実現する制御系ネットワーク用のＬＡＮポートとを分離する（例えば、ＬＡＮポート＃１、ＬＡＮポート＃３は保守系ネットワーク用、ＬＡＮポート＃２、ＬＡＮポート＃４は制御系ネットワーク用とする）ことで、それぞれＬＡＮポートに障害が発生しても、互い影響を及ぼさないようになっている。
【００２７】
したがって、本発明のメディアサービスシステムでは、運用系（ＡＣＴ）／待機系（ＳＢＹ）の構成をとるＬＡＮ冗長構成の運用系（ＡＣＴ）側にのみ一意のＩＰアドレスを設定しているので、障害発生時のサービス継続を可能とし、待機系（ＳＢＹ）側への切替え時間を短縮することが可能となる。
【００２８】
また、本発明のメディアサービスシステムでは、上位の呼制御プロトコルにネットワーク上のノードのプロトコルレベル状態監視パケットの送受信機能を追加することによって、プロトコルレベルの障害も検出可能となる。
【００２９】
さらに、本発明のメディアサービスシステムでは、保守系ネットワーク用ＬＡＮポートと制御系ネットワーク用ＬＡＮポートとを物理的に分離することで、保守系ネットワーク用ＬＡＮポートに障害が発生しても、サービス中の呼が切断されずに、サービスが継続可能となる。
【発明の効果】
【００３０】
本発明は、上記のような構成及び動作とすることで、障害発生時のサービスを継続することができ、待機系側への切替え時間を短縮することができるという効果が得られる。
【発明を実施するための最良の形態】
【００３１】
次に、本発明の実施例について図面を参照して説明する。図１は本発明の一実施例によるメディアサービスシステムの構成を示すブロック図である。図１においては、本発明の一実施例によるメディアサービスシステムのＬＡＮ（Ｌｏｃａｌ  Ａｒｅａ  Ｎｅｔｗｏｒｋ）冗長構成を示している。
【００３２】
本発明の一実施例によるメディアサービスシステムは、各種メディアサービス機能を提供するメディアサービス装置１と、通信端末（図示せず）までの呼を制御する呼制御サーバ群７と、システム上の各ネットワーク機器を遠隔で監視・保守を行う監視・保守装置６と、これらの装置を接続するＩＰ（Ｉｎｔｅｒｎｅｔ  Ｐｒｏｔｏｃｏｌ）網１００を構成する各種ネットワーク中継機器｛ルータ４，５やスイッチ［レイヤ２スイッチ（Ｌ２ＳＷ）２，３］等｝とによって構成されている。
【００３３】
メディアサービス装置１は、ＩＳＯ（国際標準化機構）によって制定されたＯＳＩ参照モデル（Ｏｐｅｎ  Ｓｙｓｔｅｍｓ  Ｉｎｔｅｒｃｏｎｎｅｃｔｉｏｎ  ｒｅｆｅｒｅｎｃｅ  ｍｏｄｅｌ）のレイヤ２スイッチ（Ｌ２ＳＷ）１３を内部に実装し、このレイヤ２スイッチ１３は、ＬＡＮカード（＃０）１１のＬＡＮポート（＃１）１１１及びＬＡＮポート（＃２）１１２と、ＬＡＮカード（＃１）１２のＬＡＮポート（＃３）１２１及びＬＡＮポート（＃４）１２２と、外部の２つのＬＡＮネットワークとに接続される。ＬＡＮカード（＃０）１１と接続するネットワークをＬＡＮ＃０系１００、ＬＡＮカード（＃１）１２と接続するネットワークをＬＡＮ＃１系１０１と呼び、それぞれ運用系（ＡＣＴ）／待機系（ＳＢＹ）の構成をとる。
【００３４】
本実施例によるメディアサービスシステムのＬＡＮ冗長構成においては、運用系（ＡＣＴ）／待機系（ＳＢＹ）の方式であるが、運用系（ＡＣＴ）側のＬＡＮポートにのみ一意のＩＰアドレス（冗長ＩＰアドレス）が割り振られる。初期状態はＬＡＮ＃０系側が運用系（ＡＣＴ）、ＬＡＮ＃１系側が待機系（ＳＢＹ）の状態とし、ＬＡＮカード（＃０）１１のＬＡＮポート（＃１）１１１にＩＰアドレスＡ、ＬＡＮポート（＃２）１１２にＩＰアドレスＢを設定し、ＬＡＮカード（＃１）１２のＬＡＮポート（＃３）１２１とＬＡＮポート（＃４）１２２にはＩＰアドレスを設定しない。
【００３５】
本実施例によるメディアサービスシステムのＬＡＮ冗長構成においては、この状態でＬＡＮ＃０系側に障害が発生したら、運用系（ＡＣＴ）をＬＡＮ＃１系に切替えて、ＬＡＮカード（＃０）１１のＬＡＮポート（＃１）１１１からＩＰアドレスＡの設定を削除し、ＬＡＮカード（＃０）１１のＬＡＮポート（＃２）１１２からＩＰアドレスＢの設定を削除し、ＬＡＮカード（＃１）１２のＬＡＮポート（＃３）１２１にＩＰアドレスＡの設定を行い、ＬＡＮカード（＃１）１２のＬＡＮポート（＃４）１２２にＩＰアドレスＢの設定を行う。
【００３６】
これによって、本実施例によるメディアサービスシステムでは、今までＬＡＮ＃０系で通信した呼処理が自動的にＬＡＮ＃１系経由で処理されることになる。また、メディアサービス装置１と呼制御サーバ群７との間の呼制御プロトコルレベル状態監視パケットの送受信によって、回線障害等のレイヤ２以下の障害だけでなく、レイヤ３以上のプロトコル障害をも検出することができる。
【００３７】
また、監視・保守装置との通信を実現する保守系ネットワーク用のＬＡＮポートと呼制御サーバ群との通信を実現する制御系ネットワーク用のＬＡＮポートとを分離する（例えば、ＬＡＮポート＃１及びＬＡＮポート＃３は保守系ネットワーク用、ＬＡＮポート＃２及びＬＡＮポート＃４は制御系ネットワーク用）ことで、それぞれＬＡＮポートに障害発生しても、互いに影響を及ぼさないようになっている。
【００３８】
このようにして、本実施例では、運用系（ＡＣＴ）／待機系（ＳＢＹ）の構成をとるＬＡＮ冗長構成の運用系（ＡＣＴ）側にのみ一意のＩＰアドレスを設定しているので、障害発生時のサービス継続を可能とし、待機系（ＳＢＹ）側への切替え時間を短縮することができる。
【００３９】
また、本実施例では、上位の呼制御プロトコルにネットワーク上のノードのプロトコルレベル状態監視パケットの送受信機能を追加することによって、プロトコルレベルの障害も検出することができる。
【００４０】
さらに、本実施例では、保守系ネットワーク用ＬＡＮポートと制御系ネットワーク用ＬＡＮポートとを物理的に分離することで、保守系ネットワーク用ＬＡＮポートに障害が発生しても、サービス中の呼を切断することなく、サービスを継続することができる。
【００４１】
図２は図１のメディアサービス装置１の構成例を示すブロック図である。図２において、メディアサービス装置１は、ＬＡＮポート（＃１）１１１及びＬＡＮポート（＃２）１１２の物理ポートを有するＬＡＮカード（＃０）１１と、ＬＡＮポート（＃３）１２１及びＬＡＮポート（＃４）１２２の物理ポートを有するＬＡＮカード（＃１）１２と、レイヤ２スイッチ（Ｌ２ＳＷ）１３と、ＬＡＮカード（＃０）１１の状態を監視する状態監視部１４と、ＬＡＮカード（＃１）１２の状態を監視する状態監視部１５と、ＬＡＮ切替え制御を行いかつＬＡＮ＃０系及びＬＡＮ＃１系の運用系（ＡＣＴ）／待機系（ＳＢＹ）の状態を記憶するＬＡＮ制御部１６と、呼制御プロトコルを処理する呼制御部１７とから構成されている。
【００４２】
状態監視部１４，１５は、定期的にＬＡＮカード（＃０）１１及びＬＡＮカード（＃１）１２に対して障害監視用の信号Ａ０，Ａ１を送信し、ＬＡＮカード（＃０）１１及びＬＡＮカード（＃１）１２各々の現在の状態（接続中か、切断中か）を表す応答信号Ｂ０，Ｂ１を受信することによって、ＬＡＮカード（＃０）１１及びＬＡＮカード（＃１）１２各々の正常性を確認する機能を有する。
【００４３】
ＬＡＮ＃０系またはＬＡＮ＃１系のどちらかに障害が発生した場合、状態監視部１４，１５からＬＡＮ制御部１６に対して、障害が発生したことを通知する切断イベントＤ０，Ｄ１を送信する。また、状態監視部１４，１５は、それぞれ障害を検出したＬＡＮ＃０系またはＬＡＮ＃１系に対応するＬＡＮカード（＃０）１１またはＬＡＮカード（＃１）１２に対して、再接続要求の信号Ｃ０，Ｃ１を送信し、再接続が成功した時にはＬＡＮ制御部１６に復旧したことを通知する接続イベントＤ０，Ｄ１を送信する。
【００４４】
ＬＡＮ制御部１６は切断イベントＤ０，Ｄ１を受信すると、運用系決定論理に基づいて運用系を決定し、状態監視部１４，１５に対して各ＬＡＮポートのＩＰアドレス削除、ＩＰアドレス設定を指示するイベントＥ０，Ｅ１を送信する。
【００４５】
呼制御部１７は呼制御プロトコルで呼制御サーバ群７と通信する時、ＬＡＮ制御部１６に対してデータ送信要求Ｆを送信し、ＬＡＮ制御部１６が運用系（ＡＣＴ）／待機系（ＳＢＹ）状態を基に、データ送信系をＬＡＮ＃０系あるいはＬＡＮ＃１系に設定し、呼制御プロトコルパケットが該当するＬＡＮカードから送信される。
【００４６】
呼制御部１７は定期的に呼制御サーバ群７と呼制御プロトコルレベルの状態監視パケットを送受信することで、呼制御サーバ群７との間のプロトコルレベルの正常性を確認する。呼制御サーバ群７との間でプロトコルレベルの障害が発生した場合、呼制御部１７はＬＡＮ制御部１６にプロトコル障害通知イベントＧを送信する。
【００４７】
これら図１及び図２を参照して本発明の一実施例によるメディアサービス装置１の動作について説明する。まず、ＬＡＮ＃０系１００、ＬＡＮ＃１系１０１のいずれかに障害が発生した場合の動作について説明する。
【００４８】
状態監視部１４，１５はそれぞれＬＡＮカード（＃０）１１及びＬＡＮカード（＃１）１２に対して、定期的に障害監視用の信号Ａ０，Ａ１を送信し、ＬＡＮカードの現在の状態を表す応答信号Ｂ０，Ｂ１を受信して、それぞれのＬＡＮの正常性を確認する。規定値を超えた回数の障害監視用信号を送信しても、対応する応答信号を受信しなかった場合には、該当ＬＡＮの回線障害と判断する。
【００４９】
ＬＡＮ＃０系１００またはＬＡＮ＃１系１０１の回線障害を検出した状態監視部１４または状態監視部１５は、ＬＡＮ制御部１６に対して障害通知する切断イベントＤ０または切断イベントＤ１を送信する。そして、ＬＡＮ障害を検出した状態監視部１４または状態監視部１５は、障害中のＬＡＮに対して、再接続要求の信号Ｃ０，Ｃ１を送信する。
【００５０】
状態監視部１４または状態監視部１５から障害通知の切断イベントを受信したＬＡＮ制御部１６は、本障害通知の切断イベントの前の運用系（ＡＣＴ）／待機系（ＳＢＹ）状態と、障害通知の切断イベントの通知元の状態監視部を判断して、運用系決定論理に基づいて、新たな運用系（ＡＣＴ）はＬＡＮ＃０系１００またはＬＡＮ＃１系１０１かを決定する。
【００５１】
図３は図２の状態監視部１４，１５から障害通知の切断イベントを受信した時のＬＡＮ制御部１６における運用系（ＡＣＴ）／待機系（ＳＢＹ）の決定処理の流れを示すフローチャートである。図３では、ＬＡＮ＃０系１００が初期運用系とし、ＬＡＮ＃１系１０１が初期待機系とし、ＬＡＮ＃０系１００に障害が発生した場合の動作について説明する。
【００５２】
ＬＡＮ＃０系１００に障害が発生して、状態監視部１４に障害通知のための応答信号Ｂ０が送信され、状態監視部１４がＬＡＮ制御部１６に障害通知の切断イベントを送信する。
【００５３】
ＬＡＮ制御部１６は状態監視部１４からこの障害通知の切断イベントＤ０を受信すると（図３ステップＳ１）、状態監視部１５がＬＡＮ＃１系１０１の接続状態を監視した結果に基づいて、ＬＡＮ＃１系１０１が正常に接続中かどうか判断する（図３ステップＳ２）。
【００５４】
ＬＡＮ制御部１６は、ＬＡＮ＃１系１０１が正常に接続中であれば、ＬＡＮカード（＃０）１１のＬＡＮポート（＃１）１１１に設定されたＩＰアドレスＡを削除し、ＬＡＮカード（＃０）１１のＬＡＮポート（＃２）１１２に設定されたＩＰアドレスＢを削除し、ＬＡＮカード（＃１）１２のＬＡＮポート（＃３）１２１にＩＰアドレスＡを設定し、ＬＡＮカード（＃１）１２のＬＡＮポート（＃４）１２２にＩＰアドレスＢを設定し、新たにＩＰアドレス設定したＬＡＮポート（＃３）１２１、ＬＡＮポート（＃４）１２２からＩＰアドレスＡ／ＩＰアドレスＢに対応するＬＡＮポート（＃３）１２１、ＬＡＮポート（＃４）１２２のＭＡＣ（Ｍｅｄｉａ  Ａｃｃｅｓｓ  Ｃｏｎｔｒｏｌ）アドレスを対向装置に通知するＧＡＲＰ（Ｇｒａｔｕｉｔｏｕｓ  Ａｄｄｒｅｓｓ  Ｒｅｓｏｌｕｔｉｏｎ  Ｐｒｏｔｏｃｏｌ）パケットを送信し、そして、ＬＡＮ＃１系１０１を運用系に、ＬＡＮ＃０系１００を待機系に書き換える（図３ステップＳ３）。
【００５５】
次に、呼制御部１７からプロトコル障害通知イベントＧを受信したＬＡＮ制御部１６は、現在の運用系を判断して、運用系決定論理に基づいて、新たな運用系（ＡＣＴ）がＬＡＮ０系１００か、またはＬＡＮ＃１系１０１かを決定する。
【００５６】
図４は図２の状態監視部１４，１５からプロトコル障害通知イベントを受信した時のＬＡＮ制御部１６における運用系（ＡＣＴ）／待機系（ＳＢＹ）の決定処理の流れを示すフローチャートである。図４では、ＬＡＮ＃０系１００が初期運用系とし、ＬＡＮ＃１系１０１が初期待機系とし、ＬＡＮ＃０系１００において呼制御プロトコルレベルの障害が発生した場合の動作について説明する。
【００５７】
メディアサービス装置１の呼制御部１７は呼制御用サーバ群７に状態監視用パケットの送受信を行うことで、プロトコルレベルの正常性を確認する。呼制御部１７は規定回数の状態監視用パケットを送信しても、対応する応答パケットを受信できなかったら、プロトコルレベルで障害が発生したと判断し、ＬＡＮ制御部１６に対してプロトコル障害の通知イベントＧを送信する。
【００５８】
ＬＡＮ制御部１６は呼制御部１７からプロトコル障害の通知イベントＧを受信すると（図４ステップＳ１１）、現在の運用系を確認し、待機系の状態が正常に接続中かどうかを確認する（図４ステップＳ１２）。
【００５９】
ＬＡＮ制御部１６は待機系の状態が正常であれば、ＬＡＮカード（＃０）１１のＬＡＮポート（＃１）１１１に設定されたＩＰアドレスＡを削除し、ＬＡＮカード（＃０）１１のＬＡＮポート（＃２）１１２に設定されたＩＰアドレスＢを削除し、ＬＡＮカード（＃１）のＬＡＮポート（＃３）１２１にＩＰアドレスＡを設定し、ＬＡＮカード（＃１）１２のＬＡＮポート（＃４）１２２にＩＰアドレスＢを設定し、新たにＩＰアドレス設定したＬＡＮポート（＃３）１２１、ＬＡＮポート（＃４）１２２からＩＰアドレスＡ／ＩＰアドレスＢに対応するＬＡＮポート（＃３）１２１、ＬＡＮポート（＃４）１２２のＭＡＣアドレスを対向装置に通知するＧＡＲＰパケットを送信し、そして、ＬＡＮ＃１系１０１を運用系に、ＬＡＮ＃０系１００を待機系に書き換える（図４ステップＳ１３）。
【００６０】
以上の説明は、ＬＡＮ＃０系１００を初期運用系とし、ＬＡＮ＃１系１０１を初期待機系とし、ＬＡＮ＃０系１００に障害が発生した場合の動作について説明したが、ＬＡＮ＃１系１０１を初期運用系とし、ＬＡＮ＃０系１００を初期待機系とし、ＬＡＮ＃１系１０１に障害が発生した場合の動作については、それぞれ０系と１系とを読み替えればよいので、その説明については省略する。
【００６１】
このように、本実施例では、メディアサービスシステムのＬＡＮ冗長構成において、運用系にのみ一意のＩＰアドレスを設定する冗長ＩＰアドレス方式で、運用系に障害発生時、待機系が正常に動作すれば、自動的に待機系に同じＩＰアドレスを割り振り、自動的に待機系を切替える。呼設立時にＩＰアドレス指定が必要であるメディアサービスシステムにおいては、障害発生した系でサービス中の呼救済ができ、エンドユーザへのサービスを継続することができ、切替え時間も短縮することができる。
【００６２】
また、本実施例では、呼制御プロトコルにプロトコルレベルの状態監視用パケット送受信機能を追加することで、回線障害等のレイヤ２以下の障害だけでなく、レイヤ３以上のプロトコル障害も検出することができる。
【００６３】
さらに、本実施例では、保守系ネットワーク用のＬＡＮポートと制御系ネットワーク用のＬＡＮポートとを分離することで、保守系ネットワークのＬＡＮポートに障害発生しても、制御系ネットワークに影響せず、サービスを継続することができる。
【００６４】
図５は本発明の他の実施例によるメディアサービスシステムの構成を示すブロック図である。図５において、本発明の他の実施例では、その基本的構成が上記の図１に示す本発明の一実施例と同様であるが、ＬＡＮカードについてさらに工夫している。
【００６５】
すなわち、本発明の他の実施例では、メディアサービス装置１に、ＬＡＮポート（＃１）１１１及びＬＡＮポート（＃２）１１２を持つＬＡＮカード（＃０）１１と、ＬＡＮポート（＃３）１２１及びＬＡＮポート（＃４）１２２を持つＬＡＮカード（＃１）１２と、ＬＡＮポート（＃５）１８１及びＬＡＮポート（＃６）１８２を持つＬＡＮカード（＃２）１８と、レイヤ２スイッチ（Ｌ２ＳＷ）１３とを実装している。
【００６６】
このように、本発明の他の実施例では、１つの運用系のＬＡＮカードに対して、複数の待機系のＬＡＮカードで多重化することで、さらに高信頼性のメディアサービス装置を実装することができる。
【図面の簡単な説明】
【００６７】
【図１】本発明の一実施例によるメディアサービスシステムの構成を示すブロック図である。
【図２】図１のメディアサービス装置の構成例を示すブロック図である。
【図３】図２の状態監視部１４，１５から障害通知の切断イベントを受信した時のＬＡＮ制御部１６における運用系（ＡＣＴ）／待機系（ＳＢＹ）の決定処理の流れを示すフローチャートである。
【図４】図２の状態監視部１４，１５からプロトコル障害通知イベントを受信した時のＬＡＮ制御部１６における運用系（ＡＣＴ）／待機系（ＳＢＹ）の決定処理の流れを示すフローチャートである。
【図５】本発明の他の実施例によるメディアサービスシステムの構成を示すブロック図である。
【図６】従来のメディアサービスシステムの構成を示すブロック図である。
【符号の説明】
【００６８】
１  メディアサービス装置
２，３，１３  レイヤ２スイッチ
４，５  ルータ
６  監視・保守装置
７  呼制御サーバ群
１１  ＬＡＮカード（＃０）
１２  ＬＡＮカード（＃１）
１４  状態監視部
１５  状態監視部
１６  ＬＡＮ制御部
１７  呼制御部
１８  ＬＡＮカード（＃２）
１００  ＬＡＮ＃０系
１０１  ＬＡＮ＃１系
１１１  ＬＡＮポート（＃１）
１１２  ＬＡＮポート（＃２）
１２１  ＬＡＮポート（＃３）
１２２  ＬＡＮポート（＃４）
１８１  ＬＡＮポート（＃５）
１８２  ＬＡＮポート（＃６）
２００  ＩＰ網
【図１】
2008177710.tif 000003
【図２】
2008177710.tif 000004
【図３】
2008177710.tif 000005
【図４】
2008177710.tif 000006
【図５】
2008177710.tif 000007
【図６】
2008177710.tif 000008